(57)【要約】      （修正有）【課題】利用者と援助者とをマッチングさせることで、利用者の買い物依頼を援助者が代行することができる買い物代行サービスシステムを提供する。【解決手段】電話により、買い物の依頼をする意思情報を取得するステップと、利用者の個人情報を取得するステップと、利用者が買い物で利用する頻度が高い小売店と同じ小売店を利用している複数の援助者を選択するステップと、意思情報と、利用者の居住地域と行先の小売店の名前とを、選択された複数の援助者の援助者端末に送信するステップと、買い物の依頼の受託を希望する援助者が受託の申請をするステップと、申請者が正式な援助者として承認されるステップと、個人情報を、正式な援助者の援助者端末に送信するステップと、正式な援助者が利用者に電話し、買い物の内容を確認するステップと、正式な援助者が買い物の依頼を代行すると共に、買い物を代行して得た商品を利用者に届けるステップと、を有する。【選択図】図３
2019139776.tif 000002
【特許請求の範囲】
【請求項１】
ネットワークを介して接続された、複数の援助者の援助者端末及びマッチング管理サーバ、を使用して利用者からの買い物の依頼を、何れかの前記援助者が代行する買い物代行サービスシステムであって、
前記利用者の利用者端末からの電話により、前記利用者の買い物の依頼をする意思情報を前記マッチング管理サーバが取得するステップと、
前記利用者端末の電話番号に基づいて、利用者群が登録された利用者データベースから、前記利用者の居住地域、住所及び電話番号を含む個人情報を取得するステップと、
前記利用者端末の電話番号から、前記利用者が買い物で利用する頻度が高い小売店と同じ小売店を利用している複数の援助者を、援助者群が登録された援助者データベースから選択するステップと、
前記意思情報、前記利用者の居住地域、及び、前記小売店の情報を、選択された前記複数の援助者の前記援助者端末に送信するステップと、
前記複数の援助者の中で、買い物の依頼の受託を希望する援助者が、前記マッチング管理サーバに対し受託の申請をするステップと、
その申請が前記マッチング管理サーバによって受理され、申請者が正式な援助者として承認されるステップと、
前記利用者の住所及び電話番号を、前記正式な援助者の、前記援助者端末に送信するステップと、
前記正式な援助者が前記援助者端末を用いて、前記利用者端末に電話し、前記利用者から買い物の内容を確認するステップと、
前記正式な援助者が買い物を代行すると共に、買い物を代行して得た商品を前記利用者に届けるステップと、
を有する買い物代行サービスシステム。
【請求項２】
小売店の小売店端末が前記ネットワークに更に接続されており、
前記小売店が前記小売店端末を用いてお買い得品情報を前記マッチング管理サーバに登録するステップと、
前記マッチング管理サーバが前記援助者端末に、登録されたお買い得品情報を送信するステップとをさらに有する請求項１に記載の買い物代行サービスシステム。
【請求項３】
利用者を代理する利用者代理人の利用者代理人端末が前記ネットワークに更に接続されており、
前記正式な援助者が買い物代行を実施後に前記援助者端末を用いて前記マッチング管理サーバに終了報告を登録するステップと、
前記マッチング管理サーバが前記利用者代理人端末に前記終了報告を送信するステップとをさらに有する請求項１又は２に記載の買い物代行サービスシステム。
【発明の詳細な説明】
【技術分野】
【０００１】  本発明は、買い物代行サービスシステムに関し、更に詳しくは、利用者からの買い物依頼を援助者が代行する買い物代行サービスシステムに関する。
【背景技術】
【０００２】  世の中には買い物難民と言われる高齢者が約６００万人いると言われている。
ところで、近年、モータリゼーションの発達により、地域型の商店が減少し、郊外型の大型店舗が増加の一途をたどっている。
このため、自分で移動手段を持たない高齢者は、買い物に行くことが困難になり、近所の人や遠くの家族に買い物を頼んだり、高いタクシー代を払って買い物に行くのが現状となっている。【０００３】  一方で、生活が困難な人の買い物を支援できる支援システムがある。
例えば、情報表示端末と提供元端末とサーバとがネットワークを介して接続されてなる、買い物支援システムが知られている。
【先行技術文献】
【特許文献】
【０００４】
【特許文献１】特開２０１７−１０２５８６号公報
【発明の概要】
【発明が解決しようとする課題】
【０００５】  しかしながら、上記特許文献１記載の買い物支援システムは、ネットワークに接続された情報表示端末が必要であり、通信機器として電話しか保有していない利用者にとっては使えないものとなっている。【０００６】  ちなみに、利用者が買い物代行業者に直接電話をして、欲しい商品を注文し、店舗で購入してきてもらう方法も従来から存在しているが、買い物代行業者が電話で注文を聞き取る為、買い物代行業者は受注に手間と時間がかかるという問題がある。【０００７】  本発明は、上記事情に鑑みてなされたものであり、買い物代行業者を利用せず、電話しか使えない利用者と買い物代行をする援助者とをマッチング管理サーバを用いて迅速にマッチングさせることで、利用者が電話で商品を注文することができ、且つ、援助者が効率良く商品を利用者に届けることができる買い物代行サービスシステムを提供することを目的とする。
【課題を解決するための手段】
【０００８】  本発明者は、上記課題を解決するため鋭意検討したところ、以下の手段により、上記課題を解決し得ることを見出し、本発明を完成するに至った。【０００９】  本発明に係る買い物代行サービスシステムは、ネットワークを介して接続された、複数の援助者の援助者端末及びマッチング管理サーバ、を使用して利用者からの買い物の依頼を、何れかの援助者が代行する買い物代行サービスシステムであって、利用者の利用者端末からの電話により、利用者の買い物の依頼をする意思情報をマッチング管理サーバが取得するステップと、利用者端末の電話番号に基づいて、利用者群が登録された利用者データベースから、利用者の居住地域、住所及び電話番号を含む個人情報を取得するステップと、利用者端末の電話番号から、利用者が買い物で利用する頻度が高い小売店と同じ小売店を利用している複数の援助者を、援助者群が登録された援助者データベースから選択するステップと、意思情報、利用者の居住地域、及び、小売店の情報を、選択された複数の援助者の援助者端末に送信するステップと、複数の援助者の中で、買い物の依頼の受託を希望する援助者が、マッチング管理サーバに対し受託の申請をするステップと、その申請がマッチング管理サーバによって受理され、申請者が正式な援助者として承認されるステップと、利用者の住所及び電話番号を、正式な援助者の、援助者端末に送信するステップと、正式な援助者が援助者端末を用いて、利用者端末に電話し、利用者から買い物の内容を確認するステップと、正式な援助者が買い物を代行すると共に、買い物を代行して得た商品を利用者に届けるステップと、を有することを特徴としている。【００１０】  本発明に係る買い物代行サービスシステムは、小売店の小売店端末がネットワークに更に接続されており、小売店が小売店端末を用いてお買い得品情報をマッチング管理サーバに登録するステップと、マッチング管理サーバが援助者端末に、登録されたお買い得品情報を送信するステップとをさらに有することを特徴としている。【００１１】  本発明に係る買い物代行サービスシステムは、利用者を代理する利用者代理人の利用者代理人端末がネットワークに更に接続されており、正式な援助者が買い物代行を実施後に援助者端末を用いてマッチング管理サーバに終了報告を登録するステップと、マッチング管理サーバが利用者代理人端末に終了報告を送信するステップとをさらに有することを特徴としている。
【発明の効果】
【００１２】  本発明においては、買い物の代行を依頼したい利用者が、買い物をしてほしい日に、コンピューター等を使わずとも電話（利用者端末）で、例えば、マッチング管理サーバに着信を入れる等の意思表示だけで、買い物代行サービスシステムを進行させることが可能となっている。これにより、正確且つ迅速に買い物の代行をしてくれる援助者を募ることができる。
また、マッチング管理サーバは利用者が普段から買い物で利用する頻度が高い小売店と同じ小売店を利用している複数の援助者を、援助者群が登録された援助者データベースの中から選定して募集をかけることができる。これにより、地域的に買い物に行き易い援助者が選択され、かつ、援助者は自分の意思で受託するか否かを判断できるため、負担にもならず自分の買い物のついでや手空き時間などに気軽に買い物の依頼を受託することができる。【００１３】  本発明においては、例えば食料品の宅配サービスが存在しない山間部や過疎地などに住む利用者であっても、買い物代行を受託してくれる援助者さえいれば食料品を確保することができるようになる。
本発明においては、依頼した当日に買い物を実施することも可能であるため、利用者が生鮮食品やお惣菜を注文することもでき、かつ、援助者に鮮度や品質の良い商品を選んできてもらうことができる。
したがって、本発明によれば、利用者が食糧確保に困らなくなるという利点がある。これにより、いわゆる買い物難民を減らすことができる。【００１４】  また、その波及効果として、利用者が高齢者である場合は、当該高齢者と地域住民の出会いの機会が増えて、地域のつながりが生まれてくるという利点がある。
さらに、買い物だけにとどまらず、利用者が高齢者である場合は、当該高齢者が困っている「通院同行」や「雪かき」等、高齢者と援助者の間の交渉次第で、様々な援助に広がる可能性がある。【００１５】  一方で、小売店においては、本発明が機能することにより、今まで買い物難民であった高齢者等の購買活動が増えるため、売り上げが増えるという利点がある。しかも小売店はこのシステムを導入する手間として、マッチング管理サーバに小売店情報を登録するだけで良く、複雑な仕組み作りや高額な設備投資が全く不要である。
また、買い物難民対策に取り組む社会的企業として、地域における評価が高まるという利点もある。【００１６】  本発明においては、小売店が、適宜お買い得品情報をマッチング管理サーバに登録すると、その情報はリアルタイムに援助者端末に向けて配信されるため、効果的な販促活動ができる。これにより売り上げが増えるという利点がある。【００１７】  本発明においては、買い物代行を終了した正式な援助者は、最後にマッチング管理サーバに終了報告を登録すると、マッチング管理サーバはその終了報告内容を、利用者代理人端末に送信するため、利用者代理人はリアルタイムに利用者が買い物代行サービスを利用したことを把握でき、それにより利用者が無事に暮らしていることを確認できるという利点がある。
【図面の簡単な説明】
【００１８】
【図１】本発明に係る買い物代行サービスシステムの一実施形態を示す全体図である。
【図２】本実施形態に係るマッチング管理サーバ１のブロック図である。
【図３】同実施形態に係る買い物代行サービスシステムを用いた、一使用例を説明するフローチャート図である。
【図４】同実施形態に係る買い物代行サービスシステムを用いて、小売店がお買い得品情報を入力する際に、小売店端末４に表示される入力用の画面例を示す図である。
【図５】同実施形態に係る買い物代行サービスシステムを用いて、小売店が入力したお買い得品情報が、援助者端末５に表示された画面例を示す図である。
【図６】同実施形態に係る買い物代行サービスシステムを用いて、利用者が買い物代行を申し込むと、候補援助者の援助者端末５に、その申し込み内容が表示された際の画面例を示す図である。
【図７】同実施形態に係る買い物代行サービスシステムを用いて、受託希望援助者が援助者ページにログインした後、正式に買い物代行を申し込むための、援助者端末５に表示される申し込み用の画面例を示す図である。
【図８】同実施形態に係る買い物代行サービスシステムを用いて、正式な援助者が買い物代行を行う際に必要とする利用者の詳細な個人情報が、援助者端末５に表示された際の画面例を示す図である。
【図９】同実施形態に係る買い物代行サービスシステムを用いて、正式な援助者が終了報告を入力する際に、援助者端末５に表示される入力用の画面例を示す図である。
【図１０】同実施形態に係る買い物代行サービスシステムを用いて、正式な援助者により送信された終了報告が、利用者代理人端末３により受信されて表示される画面例を示す図である。
【発明を実施するための形態】
【００１９】  以下、本発明に係る買い物代行サービスシステムは、利用者からの買い物依頼を援助者が代行するサービスのシステムであり、その一実施形態について、図１〜図１０を参照して具体的に説明する。
図１に示すように、本発明の買い物代行サービスシステムは、マッチング管理サーバ１と、小売店端末４と、援助者端末５と、必要に応じて利用者代理人端末３とがネットワークＮを介して接続されている。
ここで、小売店端末４、援助者端末５、及び、利用者代理人端末３は、パーソナルコンピュータ、スマートフォン、携帯電話、タブレット等で構成される。また、利用者端末２は、固定電話又は携帯電話で構成される。なお、本実施形態に於いては、説明の都合上、小売店端末４と、援助者端末５と、利用者代理人端末３とを一つだけ用いる例を示しているが、複数用いてもよい。
【００２０】  本発明において、「利用者」とは、買い物の代行を委託する者であり、特に限定されないが、例えば、加齢や障害によって車を運転できなくなった人やバスに乗って買い物に行けない高齢者等が挙げられる。
また、「援助者」とは、ボランティアとして買い物を代行する者である。なお、かかる代行は、有償、無償を問わない。
また、「利用者代理人」とは、利用者を代理する人であり、自然人、法人を問わない。なお、代理権の有無も問わない。
【００２１】  マッチング管理サーバ１は、図２に示すように、ＣＰＵ等からなる中央制御部１０と、小売店情報取得生成部１１と、小売店データベース１２と、援助者情報取得生成部１３と、援助者データベース１４と、利用者情報取得生成部１５と、利用者データベース１６と、買い物依頼情報取得生成部１７と、買い物実施情報取得生成部１８と、買い物終了情報取得生成部１９と、買い物情報データベース２０と、お買い得品情報生成部２１と、お買い得品データベース２２と、画面プログラム２３と、マウス、キーボード、タッチパネル等の入力部２４と、液晶ディスプレイ等の表示部２５と、無線ＬＡＮ、有線ＬＡＮ、ダイヤルアップ等の通信手段でネットワークＮに接続が可能な通信部２６とで構成されている。
【００２２】  小売店情報取得生成部１１は、小売店から、当該小売店の住所、店名、担当者名、電話番号、メールアドレス等の小売店情報を取得し、その小売店に対して一意のＩＤとパスワードを発行するものである。また、小売店に対して発行する一意のＩＤとパスワードは、業務契約締結時に直接小売店に手渡しするようにしてもよい。そして、小売店データベース１２には、上記小売店情報取得生成部１１により取得された小売店情報並びに上記発行されたＩＤとパスワードが格納される。
【００２３】  援助者情報取得生成部１３は、援助者から、当該援助者の居住地域、住所、氏名、電話番号、メールアドレス、援助者が普段から買い物で利用する頻度が高い小売店名等の個人情報を取得し、その援助者に対し一意のＩＤとパスワードを発行するものである。そして援助者データベース１４には上記援助者情報取得生成部１３により取得された顧客情報並びに上記発行されたＩＤとパスワードが格納される。
【００２４】  利用者情報取得生成部１５は、利用者若しくは利用者代理人から、利用者の居住地域、住所、氏名、電話番号、利用者が普段から買い物で利用する頻度が高い小売店名等の利用者の個人情報、及び、利用者代理人が居る場合は、利用者代理人の居住地域、住所、氏名、メールアドレス等の利用者代理人の個人情報を取得する。そして、利用者データベース１６にはそれらの情報が格納される。
【００２５】  買い物依頼情報取得生成部１７は、利用者若しくは利用者代理人から、買い物の依頼をする意思表示に基づく意思情報を取得する。また、援助者データベース１４に格納された全ての援助者（以下「援助者群」ともいう。）の中から、後述する買い物代行サービスシステム使用例に記載した手段により選定された複数の援助者（以下「候補援助者」ともいう。）に対して買い物代行の依頼をする。そして、買い物情報データベース２０にはそれらの情報が格納される。
【００２６】  買い物実施情報取得生成部１８は、買い物代行依頼に対して受託を希望する援助者（以下「受託希望援助者」ともいう。）の中から、後述する買い物代行システム使用例に記載した手段を用いて一人の正式な援助者を選定し、買い物代行に係る詳細な情報を提供する。そして、買い物情報データベース２０にはそれらの情報が格納される。
【００２７】  買い物終了情報取得生成部１９は、利用者代理人が居る場合、正式な援助者が買い物代行サービスの終了報告を入力することにより、利用者代理人端末３に対し買い物代行サービスの終了報告をするものである。そして、買い物情報データベース２０にはそれらの情報が格納される。
【００２８】  お買い得品情報取得生成部２１は、小売店が販売促進活動の目的で入力した小売店の広告やお買い得品情報を取得し、援助者端末５に対し小売店の広告やお買い得品情報を提供するものである。そしてお買い得品データベース２２には上記お買い得品情報取得生成部２１により取得された小売店の広告やお買い得品情報が格納される。
【００２９】  画面プログラム２３は、Ｗｅｂページを生成するためのプログラムが格納されている。すなわち、図４，５，７に示す画面Ｐ１，Ｇ１，Ｇ３及び図９，１０に示す画面Ｇ５，Ｇ６を生成するための画面プログラムが格納されている。
【００３０】〈買い物代行サービスシステム使用例〉
次に、上記説明した買い物代行サービスシステム使用例を図３のフローチャート図に基づいて説明し、さらに、図４〜図１０に示す画面例も用いて説明する。
本発明の買い物代行サービスシステムによれば、利用者と援助者とをマッチングさせることで、比較的容易に、利用者の買い物依頼を援助者が代行することができる。
【００３１】  まず、利用者、援助者、利用者代理人が居る場合は利用者代理人の個人情報と、小売店の小売店情報をマッチング管理サーバ１に以下の手順で事前登録をしていく。なお事前登録においては、登録する順番に決まりはなく、登録時期に制限もない。
【００３２】  利用者は、利用者端末を用いた電話により、例えば、マッチング管理サーバ１の管理人に個人情報を伝え、当該管理人が、利用者の居住地域、住所、氏名、電話番号、利用者が普段から買い物で利用する頻度が高い小売店名等の個人情報を入力する。なお、居住地域は、入力せず、利用者の住所から自動的に割り出してもよい。
利用者代理人が居る場合、利用者代理人が、利用者代理人端末３を用いてネットワークＮを介してマッチング管理サーバ１に接続すると、中央制御部１０が、画面プログラム２３に基づいて、利用者代理人に利用者の個人情報の入力を促す画面（図示せず）を読み出し、その読み出した画面を利用者代理人端末３に送信する。これにより、利用者代理人は、利用者代理人端末３に送信されてきた画面に基づいて、利用者の居住地域、住所、氏名、電話番号、利用者が普段から買い物で利用する頻度が高い小売店名等の利用者の個人情報を入力する（ステップＳ１Ａ）。また、利用者代理人の居住地域、住所、氏名、メールアドレス等の利用者代理人の個人情報を入力する。なお、居住地域は、入力せず、利用者や利用者代理人の住所から自動的に割り出してもよい。
【００３３】  そして、入力された利用者の個人情報がネットワークＮを介して通信部２６に送信されると、利用者情報取得生成部１５は通信部２６より送信されてきた利用者の個人情報を取得し、利用者データベース１６に格納する（ステップＳ２Ａ）。
【００３４】  一方、援助者が、援助者端末５を用いてネットワークＮを介してマッチング管理サーバ１に接続すると、中央制御部１０が、画面プログラム２３に基づいて、援助者に援助者情報の入力を促す画面（図示せず）を読み出し、その読み出した画面を援助者端末５に送信する。これにより、援助者は、援助者端末５に送信されてきた画面に基づいて、援助者の居住地域、住所、氏名、電話番号、メールアドレス、援助者が普段から買い物で利用する頻度が高い小売店名等の援助者の個人情報を入力する（ステップＳ１Ｂ）。なお、居住地域は、入力せず、援助者の住所から自動的に割り出してもよい。
【００３５】  そして、その入力された援助者の個人情報がネットワークＮを介して通信部２６に送信されると、援助者情報取得生成部１３は通信部２６より送信されてきた援助者の個人情報を取得し、その援助者の個人情報を識別するための一意のＩＤ及びパスワードを発行する（ステップＳ２Ｂ）。なお、上記援助者の個人情報並びにＩＤ及びパスワードは、援助者データベース１４に格納される（ステップＳ３Ｂ）。
【００３６】  また一方、小売店が、小売店端末４を用いてネットワークＮを介してマッチング管理サーバ１に接続すると、中央制御部１０が、画面プログラム２３に基づいて、小売店に小売店情報の入力を促す画面（図示せず）を読み出し、その読み出した画面を小売店端末４に送信する。これにより、小売店は、小売店端末４に送信されてきた画面に基づいて、小売店の住所、店名、担当者名、電話番号、メールアドレス等の小売店情報を入力する（ステップＳ１Ｃ）。
【００３７】  そして、その入力された小売店情報がネットワークＮを介して通信部２６に送信されると、小売店情報取得生成部１１は通信部２６より送信されてきた小売店情報を取得し、その小売店情報を識別するための一意のＩＤ及びパスワードを発行する（ステップＳ２Ｃ）。なお、上記小売店情報並びにＩＤ及びパスワードは、小売店データベース１２に格納される（ステップＳ３Ｃ）。
【００３８】  続いて、上記小売店データベース１２に登録された各小売店情報に、お買い得品情報を以下の手順で追加登録をしていく。なお、お買い得品情報は小売店の販売促進を目的としたものであり、各小売店が自ら随時内容を更新していく事が可能である。またこの各小売店が追加登録するお買い得品情報は、援助者データベース１４に登録された援助者群の中から、当該小売店を普段から買い物で利用する頻度が高い小売店として登録した候補援助者の援助者端末５に向けて発信するものである。
【００３９】  上記ＩＤとパスワードを取得した小売店は、そのＩＤとパスワードを使用し、小売店端末４を用いてネットワークＮを介してマッチング管理サーバ１に接続し、小売店ページにログインする（ステップＳ４）。
【００４０】  これにより中央制御部１０は、図４に示す画面Ｐ１を小売店端末４に送信する。画面Ｐ１には、小売店の広告画像を登録する広告登録コーナー（画像Ｐ１ａ）と、個々の商品ごとにお買い得品を登録するお買い得品登録コーナー（画像Ｐ１ｂ）と、これらの情報の有効期間を設定する掲載開始日時及び掲載終了日時の入力欄と（画像Ｐ１ｃ）が設けられている。広告登録コーナーにおいては、当該小売店が、画像Ｐ１ａに示されている広告登録コーナーの「写真アップロード」ボタンを、クリックすると、小売店端末４のハードディスク等あるいはネットワークＮを介して接続できるクラウドサーバ等にあらかじめ保存されている小売店の広告画像データファイルを小売店が自由に指定して登録することができる。この広告画像は登録しなくてもよく、また複数登録することも可能である。また、画像Ｐ１ｂに示されているお買い得品登録コーナーにおいては、個別のお買い得品ごとに販売単位・値段を設定して入力し、その商品の説明画像として、小売店端末４のハードディスク等あるいはネットワークＮを介して接続できるクラウドサーバ等にあらかじめ保存されている個別の商品の画像データファイルを小売店が自由に指定して登録することができる。このお買い得品は登録しなくてもよく、また複数登録することも可能である。そして、広告登録コーナーとお買い得品登録コーナーへの情報登録がされた後に、画像Ｐ１ｃに示されている入力欄に掲載開始日時と掲載終了日時を入力し、最後に画像Ｐ１ｄに示す「登録」ボタンをクリックする（ステップＳ５）。
【００４１】  これにより、その入力されたお買い得品情報がネットワークＮを介して通信部２６に送信されると、小売店情報取得生成部１１は、そのお買い得品情報を取得し、中央制御部１０を介して小売店データベース１２に格納する。次いで中央制御部１０は、援助者データベース１４に登録された援助者群の中から、当該小売店を普段から買い物で利用する頻度が高い小売店として登録している候補援助者を検索し、当該候補援助者の援助者端末５に通信部２６を介してお買い得品情報が更新された事を知らせるメール配信を行う（ステップＳ６）。
【００４２】  そうして、候補援助者は、お買い得品情報が更新された事を知らせるメールが援助者端末５に送信されてくると、その内容を確認したのち、お買い得品情報を閲覧する場合は画面上のＵＲＬをクリックする。これにより、中央制御部１０は、画面プログラム２３よりお買い得品情報画面（図５の画面Ｇ１参照）を読み出し、援助者端末５に送信し、援助者はその画面を確認する。（ステップＳ７）。この場合、上記お買い得品情報を援助者端末５に配信することで、小売店から広告料を徴収することができ、この買い物代行サービスシステムの運営費にあてることが可能である。
【００４３】  次に、具体的に買い物代行システムを利用して、買い物代行が遂行される流れについて説明をする。
【００４４】  まず、利用者が利用者端末２を用いてマッチング管理サーバ１に電話する事により（ステップＳ８）、買い物の依頼をする意思表示からなる意思情報を取得する（ステップＳ９）。
ここで、電話は、有線、無線を問わない。
利用者からの電話においては、買い物を依頼したいという意思表示が行われる。すなわち、意思表示からなる意思情報を取得することによって、買い物代行サービスシステムが開始される。なお、当該意思表示は、利用者若しくは利用者代理との合意があれば、電話の着信のみを以って、意思表示とすることも可能である。
【００４５】  また、利用者が電話をすると、所定の録音ガイダンスが流れるようになっている。この録音ガイダンスにより、援助者を選定する操作に入ること、追って買い物依頼を受託した正式な援助者から連絡があること、及び、電話を切って待機することを利用者に伝えるようになっている（ステップＳ１０）。これにより、利用者は電話を切って待機する（ステップＳ１１）。
【００４６】  次いで、中央制御部１０は、利用者端末２の電話の着信番号に基づいて、利用者データベース１６から、利用者の個人情報を取得する（ステップＳ１２）。
【００４７】  次に、中央制御部１０は、ステップＳ１２で取得された利用者の個人情報に含まれる「利用者が普段から買い物で利用する頻度が高い小売店名」を抽出し、その小売店と同一の小売店を「普段から買い物で利用する頻度が高い小売店」として援助者データベース１４に登録している複数の援助者を候補援助者として選定する（ステップＳ１３）。
【００４８】  続いて、中央制御部１０は、ステップＳ１３で選定した候補援助者に対して、ネットワークＮを介してメールの一斉送信を行う。このメールには、買い物代行を依頼したいという意思情報が届いたことを知らせる文書と、買い物代行を希望している利用者の居住地域と、行先の小売店の名前と、買い物代行の対価としての報酬金額とが記載され、更に候補援助者の中で買い物代行の受託希望者がいる場合は、その受託意思を伝達する手段も併せて伝えるものである（図６の画面Ｇ２参照）（ステップＳ１４）。
【００４９】  こうして、メールに書かれた内容を検討した結果、候補援助者の中で受託を希望する援助者は、図６の画像Ｇ２ａに示すＵＲＬをクリックする。これにより、中央制御部１０は、画面プログラム２３より援助者ページログイン画面を読み出し、受託希望援助者の援助者端末５に送信する。そして、受託希望援助者は、ステップＳ２Ｂで発行された援助者ＩＤとパスワードを使用し、援助者ページにログインする（ステップＳ１６）。
【００５０】  これにより中央制御部１０は、図７に示す画面Ｇ３を援助者端末５に送信する。画面Ｇ３には、複数の利用者からの買い物代行依頼文が、最新の情報を先頭に時系列で一覧表示されており、それぞれの依頼文には画像Ｇ３ａに示されている「申し込む」ボタンが設置されている。そして、当該受託希望援助者は今回の買い物代行依頼に係る依頼文に設置されている「申し込む」ボタンをクリックすることで、当該受託希望援助者が買い物代行の受託を希望するという意思がマッチング管理サーバ１に送信される（ステップＳ１７）。
【００５１】  なお、援助者端末５を用いて一件の買い物代行依頼に対して複数の受託希望援助者が申し込みをした場合、マッチング管理サーバ１は最も申し込みが早かった受託希望援助者に対してその受託希望を承認する。また、既に正式な援助者が決定してしまった買い物代行依頼に関しては、画像Ｇ３ｂに示されているように「申し込む」ボタンの表示が「受付終了」という表示に変わり、それ以降は申し込みできないようになっている。
【００５２】  こうして、当該受託希望援助者が受託希望を承認され、正式な援助者として決定した後、中央制御部１０は、図８に示す画面Ｇ４を援助者端末５に送信する（ステップＳ１９）。画面Ｇ４には、正式な援助者として決定したことを知らせる文面（画像Ｇ４ａ）と、利用者データベース１６に格納されている買い物代行を依頼した利用者の居住地域、住所、氏名、電話番号等の個人情報、利用者代理人がいる場合は、利用者代理人の住所、氏名、電話番号等の個人情報、行先の小売店の名前、買い物代行の対価としての報酬金額（画像Ｇ４ｂ）と、援助終了報告時に入力する終了報告入力フォームへリンクするＵＲＬ（画像Ｇ４ｃ）とが設けられている。
【００５３】  そして、正式な援助者は、図８の画面Ｇ４が援助者端末５に送信されてくると、その内容を確認し（ステップＳ２０）、そこに記載されている利用者端末２（場合によっては利用者代理人端末３）の電話番号に電話をする（ステップＳ２１）。
【００５４】  正式な援助者から電話を受けた利用者（場合によっては利用者代理人）は、口頭で買ってきてほしい商品名・個数を具体的に伝える。（ステップＳ２２）。
【００５５】  そして、利用者（場合によっては利用者代理人）から買ってきてほしい商品名・個数を確認した正式な援助者は、その日のうちに所定の小売店にて買い物を代行する（ステップＳ２３）。なお、買い物の料金は、正式な援助者が買い物を代行する前に利用者から受け取ってもよく、正式な援助者が代行した後に受け取ってもよく、正式な援助者が運営会社から受け取り、運営会社がその料金を予め登録された利用者の預金口座から引き落としてもよい。
【００５６】  次に、正式な援助者は買い物を代行して得た商品及びレシートを、利用者（場合によっては利用者代理人）に届ける（ステップＳ２４）。すなわち、利用者（場合によっては利用者代理人）の個人情報に含まれる住所に、正式な援助者が買い物を代行した商品及びそのレシートを届けることになる。そして商品を受け取った利用者（場合によっては利用者代理人）は、商品と引き換えに、買い物の料金と買い物代行の対価としての報酬を合わせた金額を正式な援助者に対して支払う（ステップＳ２５）。なお、このとき、必要となったガソリン代、電車代等の必要経費は、買い物代行の対価としての報酬に含まれる。またこの報酬額は一律として運営事業者が決定するものとするが、個々の正式な援助者と利用者の間の双方の同意があれば、報酬額の変更も可能であり、お金ではなく品物で支払がなされてもよい。
【００５７】  こうして、買い物代行が終了した正式な援助者は、図８の画像Ｇ４ｃに示すＵＲＬをクリックし終了報告をする。これにより、中央制御部１０は、画面プログラム２３より終了報告入力フォーム画面（図９の画面Ｇ５）を読み出し、援助者端末５に送信する。そして、正式な援助者は、終了報告入力フォームに必要項目を入力しマッチング管理サーバ１に送信することにより、買い物代行が終了したことを報告する。報告内容の項目は大きく二つに分かれており、買い物代行が無事に終了した場合と何らかの理由で買い物代行ができなかった場合のどちらかを、まず始めに選択する。買い物代行が無事に終了した場合は画像Ｇ５ａに示す「買い物終了」項目にチェックを入れ、何らかの理由で買い物ができなかった場合は画像Ｇ５ｅに示す「買い物できませんでした」にチェックを入れる。そして「買い物終了」にチェックを入れた場合は、引き続き買い物代行の様子が分かる情報を入力していく。例えば、買い物内容が分かるレシートの写真（画像Ｇ５ｃ）や商品を届けた時の利用者が喜ぶ顔写真（画像Ｇ５ｂ）、利用者の様子などが分かるコメント（画像Ｇ５ｄ）などである。また「買い物できませんでした」にチェックを入れた場合は、引き続きその理由を入力していく。例えば、画像Ｇ５ｆに示す項目の中から該当する項目を選びチェックを入れ、「その他」を選択した場合はその詳細な説明も入力するなどの方法がある。そしてこれらの情報が入力完了したら画像Ｇ５ｇに示す「送信」ボタンをクリックすることで情報がマッチング管理サーバ１に送信される（ステップＳ２６）。
【００５８】  これにより、その入力された終了報告がネットワークＮを介して通信部２６に送信されると、買い物終了情報取得生成部１９は、その終了報告を取得し、中央制御部１０を介して買い物情報データベース２０に格納する。次いで中央制御部１０は、買い物が無事に終了した場合に限り、利用者代理人端末３に通信部２６を介して買い物終了報告が届いたことを知らせるメール（図示せず）を配信する（ステップＳ２７）。
【００５９】  そうして、利用者代理人は、買い物終了報告が届いたことを知らせるメールが利用者代理人端末３に送信されてくると、その内容を確認したのち、終了報告を閲覧する場合は画面に示すＵＲＬをクリックする。これにより、中央制御部１０は、画面プログラム２３より終了報告画面（図１０の画面Ｇ６参照）を読み出し、利用者代理端末３に送信し、利用者代理人はその画面を確認する。（ステップＳ２８）。この終了報告により、利用者代理人は、利用者が買い物代行サービスを利用したことをリアルタイムで把握でき、つまり利用者が無事に暮らしていることを確認できるという効果がある。
【００６０】  以上、本発明の好適な実施形態について説明したが、本発明は上記実施形態に限定されるものではない。
【００６１】  本実施形態に係る買い物代行サービスシステムにおいては、マッチング管理サーバ１と、小売店端末４と、援助者端末５と、利用者代理人端末３とがネットワークＮを介して接続されているが、利用者代理人が居ない場合は、利用者代理人端末がネットワークを介してこれらに接続されていなくてもよく、小売店がお買い得情報を送信する予定がない場合は、小売店端末がネットワークを介してこれらに接続されていなくてもよい。
【００６２】  本実施形態に係る買い物代行サービスシステムにおいて、小売店が小売店端末を用いてお買い得品情報をマッチング管理サーバに登録するステップと、マッチング管理サーバが援助者端末に、登録されたお買い得品情報を送信するステップとを有しているが、小売店がお買い得情報を送信する予定がない場合は必ずしも必須ではない。
同様に、正式な援助者が買い物代行を実施後に援助者端末を用いてマッチング管理サーバに終了報告を登録するステップと、マッチング管理サーバが利用者代理人端末に終了報告を送信するステップとを有しているが、利用者代理人が居ない場合は必ずしも必須ではない。
【００６３】  また、図面を用いてデータの画像を示したが、これらは、一例に過ぎず、これらの画像に限定されるものではない。
【産業上の利用可能性】
【００６４】  本発明の買い物代行サービスシステムは、利用者からの買い物依頼を援助者が代行するサービスシステムとして利用できる。
本発明の買い物代行サービスシステムによれば、利用者と援助者とをマッチングさせることで、比較的容易に、利用者の買い物依頼を援助者が代行することができる。
【符号の説明】
【００６５】  １    マッチング管理サーバ
２    利用者端末
３    利用者代理人端末
４    小売店端末
５    援助者端末
Ｎ    ネットワーク
【図１】
2019139776.tif 000003
【図２】
2019139776.tif 000004
【図３】
2019139776.tif 000005
【図４】
2019139776.tif 000006
【図５】
2019139776.tif 000007
【図６】
2019139776.tif 000008
【図７】
2019139776.tif 000009
【図８】
2019139776.tif 000010
【図９】
2019139776.tif 000011
【図１０】
2019139776.tif 000012